(57)【要約】【課題】居住者の就寝後に空調の対象室を居室から寝室に切り替えることができ、快適な室内空調環境を形成することが可能な室内空調システムを提供することを目的とする。【解決手段】入力されたインプット情報に基づいて空調の対象室を居室３と寝室５との間で切り替えるとともに、居室３と寝室５のそれぞれで、開口部９〜１１，２１，２２または／およびファン１２と冷暖房装置８，２０の運転又は状態を、複数のパターンに組み合わせて制御する制御部を備え、複数のパターンは、冷暖房パターンと、開口部９〜１１，２１，２２または／およびファン１２と冷暖房装置８，２０との組み合わせで室内空調を行う又は行わない複数の他のパターンと、を含み、空調の対象室が寝室５である場合の複数のパターンの継続時間は、空調の対象室が居室３である場合の複数のパターンの継続時間よりも長く設定されている。【選択図】図７
2018028432.tif 000002
【特許請求の範囲】
【請求項１】
空調の対象室となる居室および寝室を有する住宅内の室内空調システムにおいて、
前記居室および前記寝室と屋外との間又は住宅内の各室間に設けられる自動開閉可能な開口部、または／および、住宅内で空気の流れを形成するためのファンと、
前記居室と前記寝室とに設けられる冷暖房装置と、
前記居室と前記寝室の室温を検出する室温検出手段と、
外気温を検出する外気温検出手段と、
空調の対象室を切り替えるのに必要な、前記寝室における睡眠に係るインプット情報を入力する入力手段と、
前記入力手段によって入力されるインプット情報に基づいて空調の対象室を前記居室と前記寝室との間で切り替えるとともに、前記居室と前記寝室のそれぞれで、前記開口部または／および前記ファンと前記冷暖房装置の運転又は状態を、前記室温検出手段と前記外気温検出手段との検出結果に基づき、複数のパターンに組み合わせて制御する制御部と、を備えており、
前記複数のパターンは、前記冷暖房装置の運転のみで室内空調を行う冷暖房パターンと、前記開口部または／および前記ファンと前記冷暖房装置との組み合わせで室内空調を行う又は行わない複数の他のパターンと、を含んでおり、
前記制御部は、前記室温検出手段と前記外気温検出手段から温度を検出する温度検出処理と、当該検出結果に基づいて複数のパターンから冷暖房パターン又は複数の他のパターンのいずれかのパターンを判別するパターン判別処理と、判別された当該パターンでの運転又は状態を制御するパターン運転処理とを繰り返し行う運転サイクルを制御しており、
さらに前記制御部は、前記パターン運転処理によって前記パターン運転が所定時間行われた後は、前記温度検出処理へと戻って前記運転サイクルが一巡するように制御しており、
空調の対象室が前記寝室である場合における前記複数のパターンの前記所定時間は、空調の対象室が前記居室である場合における前記複数のパターンの前記所定時間よりも長く設定されていることを特徴とする室内空調システム。
【請求項２】
請求項１に記載の室内空調システムにおいて、
前記開口部には、
前記居室と屋外との間に設けられた自動開閉可能な第一吸気用開口部と、
前記寝室と屋外との間に設けられた自動開閉可能な第二吸気用開口部と、
前記居室と屋内における前記対象室外の空間との間に設けられた自動開閉可能な第一通気用開口部と、
前記寝室と屋内における前記対象室外の空間との間に設けられた自動開閉可能な第二通気用開口部と、
前記対象室外の空間と屋外との間に設けられた自動開閉可能な吸排気用開口部と、が含まれており、
前記ファンは、前記吸排気用開口部の付近における屋内側に設けられており、
空調の対象室が前記居室である場合の前記複数の他のパターンは、前記第一および第二吸気用開口部、前記第一および第二通気用開口部、前記吸排気用開口部の各開口部のうち前記第一吸気用開口部と、前記第一通気用開口部と、前記吸排気用開口部と、が前記制御部によって制御され、
空調の対象室が前記寝室である場合の前記複数の他のパターンは、前記各開口部のうち前記第二吸気用開口部と、前記第二通気用開口部と、前記吸排気用開口部と、が前記制御部によって制御されることを特徴とする室内空調システム。
【請求項３】
請求項２に記載の室内空調システムにおいて、
前記対象室外の空間は、その上部に前記吸排気用開口部および前記ファンが設けられた室であり、当該室は、前記居室および前記寝室の双方に隣接して配置されていることを特徴とする室内空調システム。
【請求項４】
請求項１〜３のいずれか一項に記載の室内空調システムにおいて、
前記制御部は、
前記冷暖房パターンの運転を前記運転サイクルを所定回数分繰り返した後、
外気温＞室温−α℃のとき、外気温と、室温又は予め設定された基準温度との比較結果に応じて、前記冷暖房パターンの継続又は前記複数の他のパターンへの切り換えを、居住者によって選択可能とする処理を行うことを特徴とする室内空調システム。
【請求項５】
請求項４に記載の室内空調システムにおいて、
前記制御部は、
前記冷暖房パターンの運転を前記運転サイクルを所定回数分繰り返した後、
外気温≦室温−α℃のとき、前記冷暖房パターンから前記複数の他のパターンへと自動的に切り換える自動移行処理を行うことを特徴とする室内空調システム。
【請求項６】
請求項１〜５のいずれか一項に記載の室内空調システムにおいて、
夏期の基準温度をｔ１とすると、
前記制御部は、
前記複数の他のパターンのうち、室内空調を行ういずれかのパターンによる運転が行われ、かつ、室温＞基準温度ｔ１のとき、当該パターンによる運転サイクルに回数制限を設定し、
回数制限内に当該パターンから他のパターンに切り替わらない場合に、当該パターンから前記冷暖房パターンに切り替える処理を行うことを特徴とする室内空調システム。
【請求項７】
請求項１〜６のいずれか一項に記載の室内空調システムにおいて、
前記寝室における前記複数のパターンは、夏期用の複数のパターンと、冬期用の複数のパターンのうち、少なくとも一方からなり、
前記寝室における前記夏期用の複数のパターンは、
夏期の基準温度をｔ１とすると、
室温≧基準温度ｔ１、かつ、室温≧外気温のとき、前記開口部を開放状態とし、前記ファンを運転し、前記冷暖房装置を停止する排熱補助パターンと、
室温≧基準温度ｔ１、かつ、室温＜外気温のとき、前記開口部を閉塞状態とし、前記ファンを停止し、前記冷暖房装置を運転する前記冷暖房パターンと、
室温＜基準温度ｔ１のとき、前記開口部を閉塞状態とし、前記ファンを停止し、前記冷暖房装置を停止する夏期停止パターンと、を含むことを特徴とする室内空調システム。
【請求項８】
請求項１〜７のいずれか一項に記載の室内空調システムにおいて、
前記インプット情報は、前記寝室において人の就寝を検知するセンサーによる検知結果を含むことを特徴とする室内空調システム。
【請求項９】
請求項１〜８のいずれか一項に記載の室内空調システムにおいて、
前記インプット情報は、時間帯または／および人の在宅状況または／および住宅内の照明の消費電力量を含むことを特徴とする室内空調システム。
【発明の詳細な説明】
【技術分野】
【０００１】
本発明は、室内空調システムに関する。
【背景技術】
【０００２】
各種センサーによって室内温度や住宅上部の温度である上方温度、外気温をセンシングし、その結果に基づいて開口部やエアコン等の制御を行う技術が知られている（特許文献１参照）。
この技術では、設定温度をＴsetとし、
制御手段によって、
（１）上方温度検出手段によって検出されたトップライト付近の温度が、室内温度検出手段によって検出された室内温度より所定温度ｄｔ以上高い場合において、
（１ａ）室内温度≧Ｔsetのとき、トップライトと地窓を開放し、シーリングファンを上向き送風運転し、エアコンを停止し、
（１ｂ）室内温度＜Ｔset かつ 外気温＜Ｔsetのとき、トップライトと地窓を開放し、シーリングファンとエアコンを停止し、
（１ｃ）室内温度＜Ｔset かつ 外気温≧Ｔsetのとき、トップライトと地窓を閉鎖し、シーリングファンと前記エアコンを停止し、
（２）上方温度検出手段によって検出されたトップライト付近の温度が、室内温度検出手段によって検出された室内温度より所定温度ｄｔ未満低い場合において、
（２ａ）室内温度≧Ｔsetのとき、トップライトと地窓を開放し、シーリングファンを上向き送風運転し、エアコンを停止し、
（２ｂ）室内温度＜Ｔsetのとき、トップライトと地窓を閉鎖し、シーリングファンとエアコンを停止する、という制御を行っている。
【先行技術文献】
【特許文献】
【０００３】
【特許文献１】特開２０１２−１０７８１２号公報
【発明の概要】
【発明が解決しようとする課題】
【０００４】
ところで、従来においては、リビングルーム等のように居住者が集まる居室を空調の対象室とする場合が多かった。しかしながら、居住者の就寝後は、居室を空調の対象室とする必要性が無いため、寝室を空調の対象室に切り替えたいという要望があった。
【０００５】
本発明の課題は、居住者の就寝後に空調の対象室を居室から寝室に切り替えることができ、快適な室内空調環境を形成することが可能な室内空調システムを提供することを目的とする。
【課題を解決するための手段】
【０００６】
請求項１に記載の発明は、例えば図１〜図１７に示すように、空調の対象室となる居室（室３）および寝室（室５）を有する住宅１内の室内空調システムにおいて、
前記居室３および前記寝室５と屋外との間又は住宅１内の各室３，４，５（７）間に設けられる自動開閉可能な開口部９，１０，１１，２１，２２、または／および、住宅１内で空気の流れを形成するためのファン１２と、
前記居室３と前記寝室５とに設けられる冷暖房装置８，２０と、
前記居室３と前記寝室５の室温を検出する室温検出手段１３，２３と、
外気温を検出する外気温検出手段１４と、
空調の対象室を切り替えるのに必要な、前記寝室５における睡眠に係るインプット情報を入力する入力手段（インプット情報入力手段２４）と、
前記入力手段２４によって入力されるインプット情報に基づいて空調の対象室を前記居室３と前記寝室５との間で切り替えるとともに、前記居室３と前記寝室５のそれぞれで、前記開口部９，１０，１１，２１，２２または／および前記ファン１２と前記冷暖房装置８，２０の運転又は状態を、前記室温検出手段１３，２３と前記外気温検出手段１４との検出結果に基づき、複数のパターンに組み合わせて制御する制御部と、を備えており、
前記複数のパターンは、前記冷暖房装置８，２０の運転のみで室内空調を行う冷暖房パターンと、前記開口部９，１０，１１，２１，２２または／および前記ファン１２と前記冷暖房装置８，２０との組み合わせで室内空調を行う又は行わない複数の他のパターンと、を含んでおり、
前記制御部は、前記室温検出手段１３，２３と前記外気温検出手段１４から温度を検出する温度検出処理と、当該検出結果に基づいて複数のパターンから冷暖房パターン又は複数の他のパターンのいずれかのパターンを判別するパターン判別処理と、判別された当該パターンでの運転又は状態を制御するパターン運転処理とを繰り返し行う運転サイクルを制御しており、
さらに前記制御部は、前記パターン運転処理によって前記パターン運転が所定時間行われた後は、前記温度検出処理へと戻って前記運転サイクルが一巡するように制御しており、
空調の対象室が前記寝室５である場合における前記複数のパターンの前記所定時間は、空調の対象室が前記居室３である場合における前記複数のパターンの前記所定時間よりも長く設定されていることを特徴とする。
【０００７】
請求項１に記載の発明によれば、制御部は、入力手段２４によって入力されるインプット情報に基づいて空調の対象室を居室３と寝室５との間で切り替える制御を行うので、寝室５における人の睡眠に係り、かつ空調の対象室を切り替える必要が生じた場合に、居室３と寝室５との間で空調の対象室を適宜切り替えることができる。
また、制御部は、空調の対象室となる居室３と寝室５のそれぞれで、開口部９，１０，１１，２１，２２または／およびファン１２と冷暖房装置８，２０の運転又は状態を、複数のパターンに組み合わせて制御するので、居室３と寝室５のそれぞれで、例えば、高い空調効果を発揮できるパターンで空調を行ったり、最適な室内空調環境の形成後に逆に低い空調効果のパターンに切り換えたりすることができる。これによって、空調の対象室が居室３とされた場合であっても、空調の対象室が寝室５とされた場合であっても快適な室内空調環境を形成できる。
【０００８】
請求項２に記載の発明は、請求項１に記載の室内空調システムにおいて、
前記開口部９，１０，１１，２１，２２には、
前記居室３と屋外との間に設けられた自動開閉可能な第一吸気用開口部１０と、
前記寝室５と屋外との間に設けられた自動開閉可能な第二吸気用開口部２１と、
前記居室３と屋内における前記対象室外の空間との間に設けられた自動開閉可能な第一通気用開口部１１と、
前記寝室５と屋内における前記対象室外の空間との間に設けられた自動開閉可能な第二通気用開口部２２と、
前記対象室外の空間と屋外との間に設けられた自動開閉可能な吸排気用開口部９と、が含まれており、
前記ファン１２は、前記吸排気用開口部９の付近における屋内側に設けられており、
空調の対象室が前記居室３である場合の前記複数の他のパターンは、前記第一および第二吸気用開口部１０，２１、前記第一および第二通気用開口部１１，２２、前記吸排気用開口部９の各開口部のうち前記第一吸気用開口部１０と、前記第一通気用開口部１１と、前記吸排気用開口部９と、が前記制御部によって制御され、
空調の対象室が前記寝室５である場合の前記複数の他のパターンは、前記各開口部９，１０，１１，２１，２２のうち前記第二吸気用開口部２１と、前記第二通気用開口部２２と、前記吸排気用開口部９と、が前記制御部によって制御されることを特徴とする。
【０００９】
請求項３に記載の発明は、請求項２に記載の室内空調システムにおいて、
前記対象室外の空間は、その上部に前記吸排気用開口部９および前記ファン１２が設けられた室４であり、当該室４は、前記居室３および前記寝室５の双方に隣接して配置されていることを特徴とする。
【００１０】
請求項４に記載の発明は、請求項１〜３のいずれか一項に記載の室内空調システムにおいて、
前記制御部は、
前記冷暖房パターンの運転を前記運転サイクルを所定回数分繰り返した後、
外気温＞室温−α℃のとき、外気温と、室温又は予め設定された基準温度との比較結果に応じて、前記冷暖房パターンの継続又は前記複数の他のパターンへの切り換えを、居住者によって選択可能とする処理を行うことを特徴とする。
【００１１】
請求項５に記載の発明は、請求項４に記載の室内空調システムにおいて、
前記制御部は、
前記冷暖房パターンの運転を前記運転サイクルを所定回数分繰り返した後、
外気温≦室温−α℃のとき、前記冷暖房パターンから前記複数の他のパターンへと自動的に切り換える自動移行処理を行うことを特徴とする。
【００１２】
請求項６に記載の発明は、請求項１〜５のいずれか一項に記載の室内空調システムにおいて、
夏期の基準温度をｔ１とすると、
前記制御部は、
前記複数の他のパターンのうち、室内空調を行ういずれかのパターンによる運転が行われ、かつ、室温＞基準温度ｔ１のとき、当該パターンによる運転サイクルに回数制限を設定し、
回数制限内に当該パターンから他のパターンに切り替わらない場合に、当該パターンから前記冷暖房パターンに切り替える処理を行うことを特徴とする。
【００１３】
請求項７に記載の発明は、請求項１〜６のいずれか一項に記載の室内空調システムにおいて、
前記寝室における前記複数のパターンは、夏期用の複数のパターンと、冬期用の複数のパターンのうち、少なくとも一方からなり、
前記寝室における前記夏期用の複数のパターンは、
夏期の基準温度をｔ１とすると、
室温≧基準温度ｔ１、かつ、室温≧外気温のとき、前記開口部９，２１，２２を開放状態とし、前記ファン１２を運転し、前記冷暖房装置２０を停止する排熱補助パターン（Ｄ１モード）と、
室温≧基準温度ｔ１、かつ、室温＜外気温のとき、前記開口部９，２１，２２を閉塞状態とし、前記ファン１２を停止し、前記冷暖房装置２０を運転する前記冷暖房パターン（Ｅ１モード）と、
室温＜基準温度ｔ１のとき、前記開口部９，２１，２２を閉塞状態とし、前記ファン１２を停止し、前記冷暖房装置２０を停止する夏期停止パターン（Ａ１モード）と、を含むことを特徴とする。
【００１４】
請求項８に記載の発明は、請求項１〜７のいずれか一項に記載の室内空調システムにおいて、
前記インプット情報は、前記寝室５において人の就寝を検知するセンサー（例えば圧力センサーや人感センサー等）による検知結果を含むことを特徴とする。
【００１５】
請求項９に記載の発明は、請求項１〜８のいずれか一項に記載の室内空調システムにおいて、
前記インプット情報は、時間帯または／および人の在宅状況または／および住宅１内の照明の消費電力量を含むことを特徴とする。
【発明の効果】
【００１６】
本発明によれば、居住者の就寝後に空調の対象室を居室から寝室に切り替えることができ、快適な室内空調環境を形成することが可能となる。
【図面の簡単な説明】
【００１７】
【図１】室内空調システムの夏期および冬期における停止パターン（Ａモード）、夏期の睡眠時モードにおける停止パターン（Ａ１モード）の制御を示す図である。
【図２】同、夏期および冬期における吹き降ろしパターン（Ｂモード）の制御を示す図である。
【図３】同、排熱換気パターン（Ｃモード）の制御を示す図である。
【図４】同、排熱補助パターン（Ｄモード）の制御を示す図である。
【図５】同、冷暖房パターン（Ｅモード）の制御を示す図である。
【図６】夏期の複数のパターンの制御条件を示す表である。
【図７】室内空調システムの夏期の睡眠時モードにおける排熱補助パターン（Ｄ１モード）の制御を示す図である。
【図８】同、夏期の睡眠モードにおける冷暖房パターン（Ｅ１モード）制御を示す図である。
【図９】冬期の複数のパターンの制御条件を示す表である。
【図１０】システム起動時から夏期プロセス・冬期プロセスへの流れを説明するフローチャートである。
【図１１】夏期プロセスの流れを説明するフローチャートである。
【図１２】Ｅモード中の流れを説明するフローチャートである。
【図１３】Ｅモード中判別処理の流れを説明するフローチャートである。
【図１４】夏期の不在時パターンの流れを説明するフローチャートである。
【図１５】夏期の降雨時パターンの流れを説明するフローチャートである。
【図１６】夏期の睡眠時モードの流れを説明するフローチャートである。
【図１７】冬期プロセスの流れを説明するフローチャートである。
【発明を実施するための形態】
【００１８】
以下、図面を参照して本発明の実施の形態について説明する。
図１〜図５，図７，図８において符号１は、住宅を示す。この住宅１は２階建ての住宅１であり、屋根２と、複数の室３，４，５と、小屋裏等の住宅１の上部６と、１階から２階を経て、さらに前記上部６まで吹き抜ける吹き抜け空間７と、を有する。この吹き抜け空間７によれば住宅１内の空気を上下方向に流通させることができる。
なお、室３はリビングルームやダイニングルーム、キッチン等のような居住者同士が普段過ごす部屋、すなわち居室とされている。
また、室５は住宅の２階に配設された寝室とされている。この寝室である室５にはベッドや布団等の寝具２５がある。
【００１９】
本実施の形態の室内空調システムは、住宅１内（特に、室３および室５）と屋外との間又は各室３，４，５間に設けられる自動開閉可能な開口部９，１０，１１，２１，２２と、住宅１内で空気の流れを形成するためのファン１２と、室内に設けられる冷暖房装置８，２０と、室温を検出する室温検出手段１３，２３と、外気温を検出する外気温検出手段１４と、前記開口部９，１０，１１，２１，２２と前記ファン１２と前記冷暖房装置８，２０の運転又は状態を、複数のパターンに組み合わせて制御する制御部と、を備える。
さらに、当該室内空調システムは、住宅１内の上部温度を検出する上部温検出手段１５と、人の在室状況を入力する在室状況入力手段１６と、空調の対象室を切り替えるのに必要な、室５における睡眠に係るインプット情報を入力する入力手段２４と、を備える。
【００２０】
前記冷暖房装置８，２０は所謂エアコンであり、少なくとも冷房運転・暖房運転・送風運転が可能となっている。そして、前記室３，５の壁に取り付けられている。また、その他の室４の壁に取り付けられていてもよいし、前記吹き抜け空間７内やその他の箇所に取り付けられていてもよい。
前記開口部のうち住宅１内と屋外との間の開口部は、トップライト９と、地窓１０と、高窓２１と、を含む。前記開口部のうち各室３，４間の開口部は、欄間１１を含む。また、前記開口部のうち室５と室４（の上方空間である吹き抜け空間７）間の開口部は、欄間２２を含む。
前記ファンは、前記トップライト９の下方に設けられるとともに正逆回転可能なシーリングファン１２を含む。
【００２１】
前記トップライト９は前記屋根２に形成された開口部と、この開口部を開閉する建具とから構成されている。トップライト９の下方には、通風や採光を阻害しないように前記シーリングファン１２が設けられている。例えば、吹き抜け空間７を形成する対向する壁間に横方向に架け渡される専用の取付ビーム（図示せず）等にシーリングファン１２が取り付けられる。
トップライト９には、開口部９，１０，１１，２１，２２のうち、外部に面する開口部９，１０（，２１）の開閉に必要な降雨情報を入力する降雨情報入力手段２６として降雨（降雪）センサーが設けられている。
なお、トップライト９に替えて、２階の外壁の高い位置に設けられる高窓（図示せず）を採用してもよい。その他にも、住宅１の高い位置に設けられる開口部であれば、特に限定されるものではない。この場合、降雨情報入力手段２６は、降雨を検知しやすい屋根２等に設けられる。
また、前記シーリングファン１２に替えて、住宅１内の高い位置に設けられる排熱ファン（図示せず）を採用してもよい。
【００２２】
前記地窓１０は、１階の室３（室４，５でも可）の外壁の低い位置に形成された開口部と、この開口部を開閉する建具とから構成されている。
なお、地窓１０に替えて、１階の室３の外壁に設けられる給気ファン（図示せず）を採用してもよい。また、地窓１０に替えて、１階の室３の外壁の高い位置に設けられる高窓（図示せず）を採用してもよい。
【００２３】
また、前記欄間１１は、前記各室３，４間の出入口の上方に位置する壁に、当該出入口の上方から天井にかけて形成された開口部と、この開口部を開閉する建具とから構成されている。
なお、各室３，４間に設けられる開口部は前記欄間１１に限られるものではなく、例えば複数の羽板を有するガラリや、換気ファン等を採用してもよいものとする。
【００２４】
前記高窓２１は、２階の室５の外壁の高い位置に形成された開口部と、この開口部を開閉する建具とから構成されている。
なお、高窓２１に替えて、２階の室５の外壁に設けられる給気ファン（図示せず）を採用してもよい。また、図示はしないが、高窓２１に替えて、２階の室５の低い位置に設けられる窓（または地窓）を採用してもよい。
【００２５】
また、前記欄間２２は、前記各室５，４（７）間の出入口の上方に位置する壁に、当該出入口の上方から天井にかけて形成された開口部と、この開口部を開閉する建具とから構成されている。
なお、各室５，４（７）間に設けられる開口部は前記欄間２２に限られるものではなく、例えば複数の羽板を有するガラリや、換気ファン等を採用してもよいものとする。
【００２６】
前記トップライト９を構成するサッシ等の建具や、前記地窓１０を構成するサッシ等の建具、前記高窓２１を構成するサッシ等の建具、前記欄間１１，２２を構成するサッシ等の建具は、図示しない駆動モータ等によって自動的に開閉される。
また、このような各開口部９，１０，１１，２１，２２は手動で開閉させるようにしてもよい。その際は、後述するリモコンの表示部に、各開口部９，１０，１１，２１，２２の開閉を居住者に促すような画面を表示したり、アラートを発したり、音声案内等を行うなどして、各開口部９，１０，１１，２１，２２を手動で開閉することを促す。
【００２７】
前記室温検出手段１３，２３は、室温を検出する温度センサーであり、前記室３，５内に設けられている。なお、例えば壁や天井に取り付けられているものとする。
前記外気温検出手段１４は、外気温を検出する温度センサーであり、住宅１の外壁に取り付けられている。なお、外壁のある方位によって気温差が生じる場合があるため、住宅１の複数の方位の外壁に取り付けられていてもよい。
前記上部温検出手段１５は、住宅１内の上部温度を検出する温度センサーであり、前記上部６（小屋裏）のうち、前記トップライト９付近に設けられている。
【００２８】
前記在室状況入力手段１６は、人の在室・不在を検知する人感センサーであり、前記室３（室４，５も可）内に設けられている。例えば壁や天井に取り付けられているものとする。
なお、本実施の形態においては人感センサーを採用したが、これに限られるものではない。例えば、後述するリモコンや、パソコンやスマートフォン等の情報端末等により居住者が直接、在室・不在の信号を前記制御部に対して入力してもよい。
【００２９】
インプット情報を入力する入力手段２４（以下、インプット情報入力手段２４）は、寝室である室５における人の就寝の状況を判断するために用いられるものである。
本実施の形態においては、室５にある寝具２５に備えられるマットレス式の圧力センサーが採用されている。ただし、これに限られるものではなく、適宜変更可能であることは言うまでもない。例えば、就寝の状態に入ったことを知らせる手動式のボタン等でもよいし、寝具２５付近にいる人を検知できる人感センサーでもよいし、その他の手段を採用してもよい。
【００３０】
ここで、インプット情報とは、上述のように空調の対象室を切り替えるのに必要な、室５における睡眠に係る情報である。制御部は、このインプット情報に基づいて空調の対象室を室３と室５との間で切り替える制御を行う。
本実施の形態のインプット情報は、室５において人の就寝を検知する前記圧力センサーであるインプット情報入力手段２４による検知結果を含む。さらに、本実施の形態においては、このインプット情報として時間帯または／および人の在宅状況または／および住宅内の照明の消費電力量を含む。
換言すれば、制御部は、インプット情報入力手段２４である圧力センサーによる検知結果と、時間帯の情報・人の在宅状況の情報・照明の消費電力量の情報の少なくとも一つの情報と、を加味して制御を行う。なお、本実施の形態においては圧力センサーによる検知結果の他に、時間帯の情報と、人の在宅状況の情報と、照明の消費電力量の情報と、をインプット情報として採用している。
なお、時間帯の情報は、システムに備わる時計機能を利用したものであり、通常は、夜間「２０：００〜６：００」に設定されている。この時間帯の情報は、適宜変更可能であることは言うまでもない。
また、人の在宅状況の情報は、後述するように、在室状況入力手段１６を、室３や室５を始め、住宅１内の生活動線上に複数配置することで得られる情報である。また、これに代わって、手動式の在宅・不在ボタン等を採用してもよい。
また、照明の消費電力量の情報は、例えば公知のＨＥＭＳ（homeenergy management system）等のような住宅１内におけるエネルギー管理システム（図示せず）による消費電力量の計測データを利用して取得する。すなわち、照明に係る消費電力量が下がることで、人が就寝の状態に入ったことを推測できる。
【００３１】
前記制御部は、本実施の形態の室内空調システムの主要部であり、前記制御部は、上述のように前記開口部９，１０，１１，２１，２２と前記ファン１２と前記冷暖房装置８，２０の運転又は状態を、複数のパターンに組み合わせて制御するものである。すなわち、本実施の形態においては、この制御部が、前記冷暖房装置８，２０と、前記トップライト９と、前記地窓１０と、前記欄間１１，２２と、前記シーリングファン１２と、前記高窓２１の運転又は状態を、複数のパターンに組み合わせて制御している。より具体的には、この制御部は、前記各建具の駆動モータの運転を制御している。また、前記シーリングファン１２を正逆回転させる駆動モータ（図示せず）についても、この制御部によって制御している。
さらに、この制御部は、前記冷暖房装置８，２０に搭載される制御ユニット（図示せず）と接続され、当該制御ユニットを通じて前記冷暖房装置８，２０を制御できるように設定されている。なお、制御部と、前記冷暖房装置８，２０と前記トップライト９と前記地窓１０と前記欄間１１，２２と前記シーリングファン１２と、前記高窓２１は、直接信号線で接続されている。
さらに、この制御部は、前記室温検出手段１３，２３と、前記外気温検出手段１４と、前記上部温検出手段１５と、前記在室状況入力手段１６と、前記インプット情報入力手段２４と、降雨情報入力手段２６に対して接続されている。すなわち、前記各温度センサーの温度検出結果と、前記人感センサーの人の在・不在の検知結果と、前記圧力センサー２４等の検知結果や各情報と、降雨情報入力手段２６の降雨の検知結果を、信号として制御部へと送信でき、当該制御部は、その結果に基づいて前記開口部９，１０，１１，２１，２２、前記ファン１２を制御している。
【００３２】
また、本実施の形態では、前記制御部に通信手段が接続されており、この通信手段は、インターネットに接続されている。一方、天気情報センターの天気情報サーバがインターネットに接続されており、制御部は、この天気情報サーバからインターネット、通信手段を介して、天気情報を取得できるようになっている。この天気情報には、本実施の形態の室内空調システムを備えた住宅１が位置する地域の降雨予測情報、気温予測情報が含まれており、これら情報は時刻に応じた情報となっている。
前記制御部は、天気情報サーバから取得した天気情報に基づいて、トップライト９および地窓１０の開閉を制御するようになっている。例えば、ある時刻に降雨となる天気情報（予測情報）を取得し、その時刻前に、トップライト９や地窓１０、高窓２１を予め閉じるように制御する。特にトップライト９の制御は、天気情報の優先順位が高くなるように設定されている。
また、本実施の形態のシステムは、制御部と接続されるとともに屋根等に取り付けられる降雨センサー（降雪）を備えている。すなわち、雨滴を検知してその結果情報を制御部に送ることで、トップライト９等を制御できる。なお、この降雨センサーからの情報は、前記天気情報よりもさらに優先順位が高くなるように設定されている。
なお、降雨センサーによって得られた降雨情報は、本実施の形態の室内空調システムにおいて複数のパターンやモードを判断する際の材料として利用される。
また、これだけではなく、この降雨情報は、ネットワークを介して地域内で共有することができる。そして、このような地域の降雨情報を、ネットワークサービスとして利用することができる。すなわち、各住戸・各地域の局所的な降雨情報をネットワークサービス上においてリアルタイムで共有化できる。これによって、当該サービスを受けるユーザは、より局所的で正確な降雨情報を取得でき、例えば予め窓を閉めたり、洗濯物を取り込んだり等の適切な降雨対応を行うことができる。さらに、このような降雨情報を、天気情報配信サービス業者に提供して全国配信することもでき、太陽光発電に係る電力事業者に提供して全国各地域において電力の供給をコントロールすることもできる。
【００３３】
また、本実施の形態においては、前記制御部に接続されたリモコンが前記室３（４，５）の壁に取り付けられている。このリモコンは、本実施の形態の室内空調システムの各種の設定や入力を行ったり、表示部を備えることにより制御部からの出力を受けて各種情報を表示したりすることができるものである。すなわち、例えば、室内空調システムのＯＮ・ＯＦＦや、基準温度ｔ１，ｔ２の設定変更、アラート表示等を行うことができる。
さらに、このリモコンは、パソコンやスマートフォン等の各種情報端末と接続可能であり、情報の入出力を連動して行うことができる。したがって、各種情報端末によって室内空調システムを操作することも可能となる。
前記制御部自体は、例えば筺体に格納されて、住宅１内の収納スペース等に設置されている。ただし、これに限られるものではなく、前記リモコンに内蔵されていてもよい。
【００３４】
なお、前記トップライト９と前記地窓１０と前記欄間１１，２２と前記高窓２１と前記シーリングファン１２は、専用リモコンによってそれぞれ手動操作することができるが、一定時間が経過すれば前記制御部による制御状態に戻るように設定されているものとする。したがって、前記トップライト９と、前記地窓１０と、前記欄間１１，２２と、前記高窓２１と、前記シーリングファン１２をそれぞれ手動で操作したい場合、前記リモコンによって本システムを停止させてから、それぞれの専用リモコンによって手動操作する。
また、その他にも、例えば手動操作を行った場合に、本システム自体が停止するように設定されていてもよいものとする。
さらに、その他にも、一旦、手動操作した機器については、その状態を記憶させておけるように設定されていてもよいものとする。すなわち、例えば後述のように複数のパターンを適宜判別してパターン運転を行いたいが、トップライト９だけは開けておきたい、というような要望があった時に対応することができる。
また、前記冷暖房装置８，２０も、専用リモコンによって手動操作が可能となっている。この冷暖房装置８，２０の運転状態は、制御部による前記複数のパターンの制御と連動しており、この冷暖房装置８，２０の運転・停止によってパターンが切り替わる場合がある。
さらに、前記冷暖房装置８，２０と、前記トップライト９と、前記地窓１０と、前記欄間１１，２２と、前記高窓２１と、前記シーリングファン１２とのうち、住宅１内に設けられていない機器がある場合も考えられる。このため、特定の機器が無くても、後述するようなパターン判別およびパターン運転ができるように設定されていてもよいものとする。
【００３５】
また、前記複数のパターンは、前記冷暖房装置８，２０の運転のみで室内空調を行う冷暖房パターン（図５，図８）と、前記開口部９，１０，１１，２１，２２と前記ファン１２と前記冷暖房装置８，２０との組み合わせで室内空調を行う又は行わない複数の他のパターン（図１〜図４，図７）と、を含んでいる。なお、これら複数のパターンの詳細については後述する。
【００３６】
そして、前記制御部は、温度検出処理と、パターン判別処理と、パターン運転処理と、を繰り返し行う運転サイクルを制御する。さらに、この制御部は、前記複数のパターンのうち同一のパターンによる前記運転サイクルが所定回数続いた後に、前記冷暖房パターンと前記複数の他のパターンとを含む各パターン間でパターンを切り換え可能に制御を行う。
【００３７】
前記温度検出処理は、前記室温検出手段１３，２３と、前記外気温検出手段１４と、前記上部温検出手段１５のそれぞれによって室温と外気温と上部温度とを検出する処理である。
前記パターン判別処理は、前記温度検出処理によって得られた室温と外気温と、予め設定された基準温度ｔとに基づいて、前記複数のパターンの中から、室内の温度環境に適合するパターンを判別する処理である。
前記パターン運転処理は、前記パターン判別処理によって判別されたパターンに基づいて、前記開口部９，１０，１１，２１，２２と前記ファン１２と前記冷暖房装置８，２０のそれぞれを起動させる又は起動させないようにする処理である。
【００３８】
なお、温度検出処理とパターン判別処理とパターン運転処理とを繰り返し行う運転サイクルの１サイクル分の所要時間は、本実施の形態においては３分とされている。
温度検出処理の開始時からパターン判別処理を経てパターン運転処理の開始までの時間が１分とされている。また、パターン運転処理の開始から次の温度検出処理の開始までの時間が２分とされている。
温度検出処理の開始時からパターン運転処理の開始までの１分の間も、冷暖房装置８，２０やシーリングファン１２等の運転は継続している。また、この１分の中には、パターンの切り換わりに伴って冷暖房装置８，２０やシーリングファン１２等が運転を停止するまでの時間も含まれているものとする。
【００３９】
前記複数のパターンは、夏期用の複数のパターン（モード）と、冬期用の複数のパターンのうち、少なくとも一方からなる。すなわち、夏期用の複数のパターンだけを採用してもよいし、冬期用の複数のパターンを採用してもよいし、夏期用および冬期用の双方の複数のパターンを採用してもよいものとする。本実施の形態においては、夏期用および冬期用の双方の複数のパターンが採用されている。
また、本システムによって空調を行う際の基準となる基準温度ｔ１，ｔ２を前記リモコンによって設定する。夏期の基準温度ｔ１は２８℃とし、冬期の基準温度ｔ２は２２℃とする。
【００４０】
［夏期の複数のパターン］
夏期用の複数のパターンには、寝室である室５を除く各室３，４等における複数のパターンと、寝室である室５における複数のパターンとがある。
そこで、まず、各室３，４等における複数のパターンについて説明する。
当該夏期の各室３，４等における複数のパターンは、図１〜図６，図１１，図１４等に示すように、前記冷暖房パターンと、前記複数の他のパターンと、を含む。当該複数の他のパターンは、夏期停止パターンと、夏期吹き降ろしパターンと、排熱換気パターンと、排熱補助パターンと、不在時パターンと、降雨時パターンと、を含んでいる。
【００４１】
前記夏期停止パターンは、室温＜外気温、かつ、室温＜基準温度ｔ１のとき、前記開口部（前記トップライト９、前記地窓１０、前記欄間１１）を閉塞状態とし、前記ファン（前記シーリングファン１２）を停止し、前記冷暖房装置８を停止する設定となっている。
すなわち、この夏期停止パターンは、室温が外気温よりも低く、かつ室温が基準温度ｔ１よりも低い状態のとき（室温が十分に快適な値であり、室内に比して屋外が暑い状態のとき）に、前記開口部９，１０，１１は閉塞され、前記ファン１２は停止され、前記冷暖房装置８も停止される設定である。さらに換言すれば、本システムはＯＮ状態でありながら、すべての運転（機能）を停止させる設定である。
当該夏期停止パターンを、以下、（夏期の）Ａモードと称する。
【００４２】
前記夏期吹き降ろしパターンは、室温＋α℃＞上部温度、かつ、上部温度＜外気温＜基準温度ｔ１のとき、前記開口部９，１０，１１のうち各室間の開口部（前記欄間１１）を開放状態とするとともに住宅１内と屋外との間の開口部（前記トップライト９、前記地窓１０）を閉塞状態とし、前記ファン（前記シーリングファン１２）を運転し、前記冷暖房装置８を停止する設定となっている。
すなわち、この夏期吹き降ろしパターンは、室温にα℃付加した数値が上部温度よりも高く、かつ、外気温が基準温度ｔ１よりも低く、上部温度が当該外気温よりもさらに低い状態のとき（トップライト９近傍が室温＋α℃よりも低く、外気温も基準温度ｔ１より低い状態のとき、すなわち屋外の方が涼しいが体感できるほどではないとき）に、前記開口部９，１０が閉塞され、前記開口部１１が開放され、前記ファン１２が下向き運転され、前記冷暖房装置８が停止される設定である。このような設定によれば、トップライト９近傍の冷気をシーリングファン１２によって下方に降ろすことができる。
当該夏期吹き降ろしパターンを、以下、（夏期の）Ｂモードと称する。
【００４３】
前記排熱換気パターンは、室温＞外気温のとき、前記開口部（前記トップライト９、前記地窓１０、前記欄間１１）を開放状態とし、前記ファン（前記シーリングファン１２）を停止し、前記冷暖房装置８を停止する設定となっている。
すなわち、この排熱換気パターンは、室温が外気温よりも高い状態のとき（例えば室温が高く、外気温が低く、住宅１内の上下温度差がある状態のとき）に、前記開口部９，１０，１１が開放され、前記ファン１２が停止され、前記冷暖房装置８が停止される設定である。このような設定によれば、住宅１内の上下温度差を利用して地窓１０から外気を取り入れてトップライト９から排熱することができる。
当該排熱換気パターンを、以下、（夏期の）Ｃモードと称する。
【００４４】
前記排熱補助パターンは、室温＞外気温、かつ、室温＋α℃＞上部温度、かつ、上部温度＞外気温のとき、前記開口部（前記トップライト９、前記地窓１０、前記欄間１１）を開放状態とし、前記ファン（前記シーリングファン１２）を運転し、前記冷暖房装置８を停止する設定となっている。
すなわち、この排熱補助パターンは、室温が外気温よりも高く、かつ、室温にα℃付加した数値が上部温度よりも高く、かつ、上部温度が外気温よりも高い状態のとき（例えば室温が高く、外気温が低く、上下温度差が小さい状態のとき）に、前記開口部９，１０，１１が開放され、前記ファン１２が上向き運転され、前記冷暖房装置８が停止される設定である。このような設定によれば、上下温度差が小さくてもシーリングファン１２によって排熱を促進できるとともに地窓１０から外気を取り入れてトップライト９から排熱することができる。つまり、シーリングファン１２が排熱の補助となる。
なお、「α℃」は、本実施の形態においては「３℃」とされている。この数値は任意の数値であり、ユーザ（居住者）の体感に基づくものでよい（以下、同様）。
当該排熱補助パターンを、以下、（夏期の）Ｄモードと称する。
【００４５】
前記冷暖房パターンは、基準温度ｔ１＜室温、かつ、基準温度ｔ１＜外気温のとき、前記開口部（前記トップライト９、前記地窓１０、前記欄間１１）を閉塞状態とし、前記ファン（前記シーリングファン１２）を停止し、前記冷暖房装置８を冷房運転する設定となっている。
すなわち、この冷暖房パターンは、基準温度ｔ１の方が室温よりも低く、基準温度ｔ１の方が外気温よりも低い状態のとき（室温が高く、外気温が高く、通風の効果が見込めないような状態のとき）に、前記開口部９，１０，１１を閉塞し、前記ファン１２を停止し、前記冷暖房装置８を冷房運転する設定である。このような設定によれば、冷暖房装置８による冷房運転で、外気温に関係なく室内全体を冷却できる。
当該冷暖房パターンを、以下、（夏期の）Ｅモードと称する。
【００４６】
また、前記制御部は、前記Ｂモード（夏期吹き下ろしパターン）と前記Ｃモード（排熱換気パターン）と前記Ｄモード（排熱補助パターン）のうち、いずれかのモード（パターン）による運転が行われ、かつ、室温＞基準温度ｔ１のとき、当該モードによる運転サイクルに回数制限を設定する。そして、回数制限内に当該モードから他のモードに切り換わらない場合に、当該モードから前記Ｅモード（冷暖房パターン）に切り換える処理を行う。
すなわち、室温が基準温度ｔ１よりも高く（暑く）、前記Ｂモードと前記Ｃモードと前記Ｄモードのうちいずれかのモードによって室内空調環境の改善が図れない状態のときに、前記Ｅモードに切り換わることになる。また、回数制限が設定されるので、当該回数を超えて当該各モード（Ｂ，Ｃ，Ｄ）が継続されることがなくなる。
また、前記制御部は常に運転サイクルを監視しており、同一モードで運転サイクルが行われる間はカウントされることになる。他のモードに切り換わった際はそれまでのカウントがリセットされて、切り換わった後のモードのカウントが始まるように設定されている。運転サイクルは上述のように所要時間が決められているので、回数制限はすなわち時間制限となる。
なお、以下、回数制限が設定されたＢモード、Ｃモード、Ｄモードのそれぞれは、説明の便宜上、Ｂ´モード、Ｃ´モード、Ｄ´モードと表すものとする。
【００４７】
さらに、前記制御部は、前記冷暖房パターンによる前記運転サイクルを所定回数繰り返した後、外気温≦室温−α℃のとき、前記冷暖房パターンから前記複数の他のパターンへと自動的に切り換える自動移行処理を行う。また、外気温＞室温−α℃のとき、外気温と、室温又は基準温度との比較結果に応じて、前記冷暖房パターンの継続又は前記複数の他のパターンへの切り換えを、居住者によって選択可能とする処理を行う（選択移行処理）。
すなわち、外気温が室温−α℃と同一か、室温−α℃よりも低いとき（室内よりも屋外が涼しい状態のとき）に、前記制御部が、前記冷暖房パターンから前記複数の他のパターンへと自動的に切り換わる。また、外気温が室温−α℃よりも高いとき（室温−α℃の室内よりも屋外が暑いとき）に、前記制御部が、前記冷暖房パターンの継続又は前記複数の他のパターンへの切り換えを、居住者によって選択可能とする処理を行う。
【００４８】
なお、以上のような複数のパターンは、Ａモード（夏期停止パターン）、Ｂモード・Ｂ´モード（夏期吹き降ろしパターン）、Ｃモード・Ｃ´モード（排熱換気パターン）、Ｄモード・Ｄ´モード（排熱補助パターン）、Ｅモード（冷暖房パターン）の順番で徐々に、室内ひいては住宅１内の排熱効果が高くなるように設定されている。すなわち、Ａ〜Ｅモードのうち、Ａモードに近いほど排熱効果が低く、Ｅモードに近いほど排熱効果が高い。
ただし、温度の状況に応じて適宜モード移行がなされるため、その時々に得られる空調効果は最適に近いものとなる。
【００４９】
また、以上のような複数のパターンは、図６に示すように、様々な複合する条件に基づいて、より詳細に制御される。
そのような条件としては、例えば室温と基準温度ｔ１との比較、外気温と基準温度ｔ１との比較、室温と外気温との比較、上部温度と外気温との比較、室温と上部温度との比較がある。
複合する条件に応じて各モードが選択されるようになっており、各モードでも、条件によっては開口部９，１０，１１の状態や、冷暖房装置８・ファン１２の運転状況が異なる場合もある。
また、近年における環境保護の観点からエアコン等を使用せずに生活を送りたいという要望がある場合には、本システムは、Ｅモードを、他のモードに置き換える設定が可能に構成されているものとする。その際、上述のようにＥモードに近いほど排熱効果が高いため、ＥモードからＤモードに置き換えられるように設定すれば、排熱効果が高く、好ましい。なお、このような設定は、ユーザが任意に設定できるように、例えば表示部に表示される設定画面（図示せず）上において手動で設定操作したり、専用リモコンによって手動で設定操作したりできるものとする。
【００５０】
なお、夏期のパターン判別を行うにあたっては上述のように様々な複合する条件に基づいてパターン判別が行われるが、複数のパターン間で条件が競合（いわゆるバッティング）する場合には、どちらのパターンを選択するか、予め優先順位を決めておくことが望ましい。このような優先順位の決定は、ユーザが任意に設定してもよいし、システムに予め設定されていてもよいものとする。夏期のパターン判別においては、例えばＣモードとＤモードの間で条件がバッティングする場合が考えられ、このような場合には、予め決められた優先順位に即してパターン判別が行われる。
【００５１】
［夏期の不在時パターン］
次に、夏期の各室３，４等における不在時パターンについて説明する。
この不在時パターンは、在室状況入力手段１６である人感センサーによって人が不在であることが検知された時に選択されるパターンである。なお、在室状況入力手段１６が室３だけにしか設けられていない場合は、室３の在室状況は判断できるものの、在宅か否かの判断ができない。そのため、在室状況入力手段１６である人感センサーは、室４を始め、住宅１内の生活動線上に配置されている。ただし、これに限られるものではなく、例えば在宅・不在を知らせる手動式のボタン等であってもよい。
また、この不在時パターンは、住宅１内に人が不在であって、かつ降雨時のとき、上述のＡモード運転を行うように設定されている。また、住宅１内に人が不在であって、かつ降雨時ではないとき、さらに外気温＜室温のときに、地窓１１とトップライト９を開放状態とする設定となっている。また、住宅１内に人が不在であって、かつ降雨時ではないとき、さらに外気温＜上部温度のときに、トップライト９を開放状態とする設定となっている。
すなわち、この不在時パターンは、住宅１内に人が不在のときに最低限の換気を行うための空調パターンである。
【００５２】
［夏期の降雨時パターン］
次に、夏期の各室３，４等における降雨時パターンについて説明する。
この降雨時パターンは、在宅時において、制御部が、降雨情報入力手段２６である降雨センサーによって入力される降雨情報に基づいて、外部に面する開口部９，１０（，２１）の開閉を制御する設定となっている。
そして、降雨時パターンは、夏期の基準温度をｔ１とし、かつ外部に面する開口部９，１０（，２１）が閉塞された後に、上述のＥモード運転と、Ａモード運転とを選択的に行うように設定されている。
より詳細には、降雨を検知し、開口部９，１０（，２１）を閉塞した後、室温≧基準温度ｔ１のとき、ファン１２を停止し、冷暖房装置８を運転するＥモード運転を開始する。また、室温＜基準温度ｔ１のとき、ファン１２を停止し、冷暖房装置８を停止するＡモード運転を開始する。
すなわち、この降雨時パターンは、住宅１内に人がいるときに開口部９，１０（，２１）を閉塞した状態で空調を行うためのパターンである。
なお、冬期は基本的に開口部９，１０，２１が閉塞された状態であるため、降雨時であっても、降雨時パターンは開始されない設定となっている。
【００５３】
［寝室である室５における夏期の複数のパターン］
次に、夏期の寝室である室５における複数パターンは、図１，図７，図８に示すように、前記冷暖房パターンと、前記複数の他のパターンと、を含む。当該複数の他のパターンは、夏期停止パターンと、排熱補助パターンと、を含んでいる。
なお、室内空調システムでは、寝室５における複数パターンを総称して、以下「睡眠時モード」と称する。すなわち、当該寝室５における複数のパターンは、寝室５で人が睡眠を取る際に、かつ、空調の対象室が居室である室３から寝室である室５に切り替わった後に採用される空調の形態である。
【００５４】
まず、睡眠時モードの夏期停止パターンについて説明する。
当該夏期停止パターンは、図１に示すように、室温＜基準温度ｔ１のとき、前記開口部（高窓２１、欄間２２）を閉塞状態とし、前記ファン（シーリングファン１２）を停止し、前記冷暖房装置２０を停止する設定となっている。
すなわち、この睡眠時モードの夏期停止パターンは、室温が基準温度ｔ１よりも低いときに、開口部２１，２２は閉塞され、ファン１２は停止され、冷暖房装置２０も停止される設定である。さらに換言すれば、本システムはＯＮ状態でありながら、すべての運転（機能）を停止させる設定である。
当該寝室である室５における夏期の停止パターンを、以下、（夏期の）Ａ１モードと称する。
【００５５】
睡眠時モードの排熱補助パターンは、図７に示すように、室温≧基準温度ｔ１、かつ、室温≧外気温のとき、前記開口部（高窓２１、欄間２２）を開放状態とし、前記ファン（シーリングファン１２）を運転し、前記冷暖房装置２０を停止する設定となっている。
すなわち、この睡眠時モードの排熱補助パターンは、室温が基準温度ｔ１と等しいか基準温度ｔ１よりも高く、かつ室温が外気温と等しいか外気温よりも高いときに、開口部２１，２２が開放され、ファン１２が上向き運転され、冷暖房装置２０が停止される設定である。このような設定であれば、住宅１の上階で上下温度差を利用した排熱ができない場合であっても、シーリングファン１２によって排熱を促進できる。つまり、シーリングファン１２が排熱の補助となる。
当該寝室である室５における夏期の排熱補助パターンを、以下、（夏期の）Ｄ１モードと称する。
【００５６】
睡眠時モードの冷暖房パターンは、図８に示すように、室温≧基準温度ｔ１、かつ、室温＜外気温のとき、前記開口部（高窓２１、欄間２２）を閉塞状態とし、前記ファン（シーリングファン１２）を停止し、前記冷暖房装置２０を運転する設定となっている。
すなわち、この睡眠時モードの冷暖房パターンは、室温が基準温度ｔ１と等しいか基準温度ｔ１よりも高く、かつ室温が外気温よりも低いときに、開口部２１，２２が閉塞され、ファン１２が停止され、冷暖房装置２０が運転される設定である。このような設定であれば、冷暖房装置２０による送風運転で、外気温等に関係なく、寝室である室５の空調を行うことができる。
当該寝室である室５における夏期の冷暖房パターンを、以下、（夏期の）Ｅ１モードと称する。
【００５７】
［冬期の複数のパターン］
冬期用の複数のパターンには、寝室である室５を除く各室３，４等における複数のパターンと、寝室である室５におけるパターンとがある。
そこで、まず、各室３，４等における複数のパターンについて説明する。
当該冬期の各室３，４等における複数のパターンは、図１，図２，図５，図９に示すように、前記冷暖房パターンと、前記複数の他のパターンと、を含む。当該複数の他のパターンは、冬期停止パターンと、冬期吹き降ろしパターンと、を含んでいる。
また、冬期において前記制御部は、前記在室状況入力手段１６による人の在室状況と、当該冬期用の複数のパターンとを組み合わせて制御している。
【００５８】
前記冬期停止パターンは、室温＋β℃＞上部温度のとき、前記開口部（前記トップライト９、前記地窓１０、前記欄間１１）を閉塞状態とし、前記ファン（前記シーリングファン１２）を停止し、前記冷暖房装置８を停止する設定となっている。
すなわち、この冬期停止パターンは、室温にβ℃付加した数値が上部温度よりも高い状態のとき（室温が十分に快適な値であり、室内に比して屋外が寒い状態のとき）に、前記開口部９，１０，１１は閉塞され、前記ファン１２は停止され、前記冷暖房装置８も停止される設定である。さらに換言すれば、本システムはＯＮ状態でありながら、すべての運転（機能）を停止させる設定である。
なお、「β℃」は、本実施の形態においては「５℃」とされている。この数値は任意の数値であり、ユーザ（居住者）の体感に基づくものでよい（以下、同様）。
当該冬期停止パターンを、以下、（冬期の）Ａモードと称する。
【００５９】
前記冬期吹き降ろしパターンは、室温＋β℃＜上部温度のとき、前記開口部９，１０，１１のうち各室間の開口部（前記欄間１１）を開放状態とするとともに住宅１内と屋外との間の開口部（前記トップライト９、前記地窓１０）を閉塞状態とし、前記ファン（前記シーリングファン１２）を運転し、前記冷暖房装置８を停止する設定となっている。
すなわち、この冬期吹き降ろしパターンは、室温にβ℃付加した数値が上部温度よりも低い状態のとき（トップライト９近傍が室温よりも高い状態のとき）に、前記開口部９，１０が閉塞され、前記開口部１１が開放され、前記ファン１２が下向き運転され、前記冷暖房装置８が停止される設定である。このような設定によれば、トップライト９近傍の暖気をシーリングファン１２によって下方に降ろすことができる。
当該冬期吹き降ろしパターンを、以下、（冬期の）Ｂモードと称する。
【００６０】
前記冷暖房パターンは、室温＜基準温度ｔ２のとき、前記開口部（前記トップライト９、前記地窓１０、前記欄間１１）を閉塞状態とし、前記ファン（前記シーリングファン１２）を停止し、前記冷暖房装置８を暖房運転する設定となっている。
すなわち、この冷暖房パターンは、室温が基準温度ｔ２よりも低い状態のとき（室温が低く、外気温も低く、上部温度も低い状態のとき）に、前記開口部９，１０，１１を閉塞し、前記ファン１２を停止し、前記冷暖房装置８を暖房運転する設定である。このような設定によれば、冷暖房装置８による暖房運転で、外気温に関係なく室内全体を暖めることができる。
なお、当該冬期の冷暖房パターンは、前記在室状況入力手段による人の在室状況を確認し、人の在室時のみ運転するように設定されている。
当該冷暖房パターンを、以下、（冬期の）Ｅモードと称する。
【００６１】
なお、以上の複数のパターンは、Ａモード（冬期停止パターン）、Ｂモード（冬期吹き降ろしパターン）、Ｅモード（冷暖房パターン）の順番で徐々に、室内ひいては住宅１内の暖房効果が高くなるように設定されている。すなわち、Ａ，Ｂ，Ｅモードのうち、Ａモードに近いほど暖房効果が低く、Ｅモードに近いほど暖房効果が高い。
ただし、温度の状況に応じて適宜モード移行がなされるため、その時々に得られる空調効果は最適に近いものとなる。
【００６２】
また、以上のような複数のパターンは、図９に示すように、様々な複合する条件に基づいて、より詳細に制御される。
そのような条件としては、例えば在室状況、室温と基準温度ｔ２との比較、室温と上部温度との比較がある。
複合する条件に応じて各モードが選択されるようになっており、各モードでも、条件によっては開口部９，１０，１１の状態や、冷暖房装置８・ファン１２の運転状況が異なる場合もある。
また、近年における環境保護の観点からエアコン等を使用せずに生活を送りたいという要望がある場合には、本システムは、Ｅモードを、他のモードに置き換える設定が可能に構成されているものとする。その際、上述のようにＥモードに近いほど暖房効果が高いため、ＥモードからＢモードに置き換えられるように設定すれば、暖房効果が高く、好ましい。Ｂモードの条件に当てはまらない場合には、さらにＡモードに置き換わるように設定してもよい。なお、このような設定は、ユーザが任意に設定できるように、例えば表示部に表示される設定画面（図示せず）上において手動で設定操作したり、専用リモコンによって手動で設定操作したりできるものとする。
【００６３】
なお、冬期のパターン判別を行うにあたっては上述のように様々な複合する条件に基づいてパターン判別が行われるが、複数のパターン間で条件が競合（いわゆるバッティング）する場合には、どちらのパターンを選択するか、予め優先順位を決めておくことが望ましい。このような優先順位の決定は、ユーザが任意に設定してもよいし、システムに予め設定されていてもよいものとする。冬期のパターン判別においては、例えば温度に係る条件が同一で人の在室・不在によってのみ判別可能の条件がある場合が考えられ、このような場合には、予め決められた優先順位に即してパターン判別が行われる。
【００６４】
［寝室である室５における冬期のパターン］
寝室である室５における冬期のパターンでは、図示はしないが、開口部２１，２２を開放する選択肢は無く、特に通常の就寝時間（夜間）においてはファン１２を下向き運転する選択肢も無いため、冷暖房装置２０による空調のみが行われる。
すなわち、この寝室である室５における冬期のパターンは、冷暖房パターンであり、室温が基準温度ｔ２よりも低い状態のとき（室温が低く、外気温も低く、上部温度も低い状態のとき）に、開口部２１，２２を閉塞し、ファン１２を停止し、冷暖房装置２０を暖房運転する設定である。このような設定によれば、冷暖房装置２０による暖房運転で、外気温に関係なく室内全体を暖めることができる。
当該寝室である室５における冬期の冷暖房パターンを、以下、（冬期の）Ｅ１モードと称する。
【００６５】
［室内空調システムによる空調制御方法］
次に、本実施の形態の室内空調システムの制御部によって、冷暖房装置８，２０、トップライト９、地窓１０、欄間１１，２２、高窓２１、シーリングファン１２を制御する方法の一例について、図１０〜図１７に示す図を参照しながら説明する。
【００６６】
初期状態では、トップライト９、地窓１０、欄間１１，２２、高窓２１は閉鎖されており、シーリングファン１２、冷暖房装置８，２０は停止した状態となっている。
まず、前記リモコンによって室内空調システムをＯＮとする。これによって、図１０に示すように、本システムが運転開始される（ステップＳ１）。
続いて、現在が夏期であるか、冬期であるかを判断する（ステップＳ２）。その判断基準は日付であり、１年間を二期に分けて、現在の日付が夏期に相当するか冬期に相当するかを判断する。その他にも、夏期・冬期の判断よりも前に温度検出処理を行い、その日の気温等に応じて夏期・冬期のどちらが好適か判断してもよい。つまり、システムに時間設定機能やカレンダー機能を持たせることで、夏期と冬期の判断がしやすくなる。または、ユーザ（居住者）が適宜設定してもよい。
ステップＳ２で夏期と判断された場合は夏期プロセスへと進み、冬期と判断された場合は冬期プロセスへと進む。なお、夏期の基準温度ｔ１と冬期の基準温度ｔ２は予め設定されているものとする。すなわち、本実施の形態においては、基準温度ｔ１＝２８℃とされ、基準温度ｔ２＝２２℃とされている。
【００６７】
次に、夏期プロセスについて説明する（図１１〜図１３）。
まず、ステップＳ３で、室温検出手段１３，２３と外気温検出手段１４と上部温検出手段１５とによって温度検出処理を行い、室温と外気温と上部温度とを検出する。
次のステップＳ４では、在室状況入力手段１６によって検知された人の在室・不在の情報に基づいて、在室と不在のどちらかの判断が行われる。在室の場合はステップＳ５へと進み、不在の場合はステップＳ６に進んで不在時パターンを開始する（後述する）。
ステップＳ５では、制御部に対して前記降雨情報が送られているか否かが判断される。このとき、降雨情報が無ければステップＳ７へと進み、降雨情報があれば、ステップＳ８に進んで降雨時パターンを開始する（後述する）。
【００６８】
ステップＳ７では、制御部に対して前記インプット情報が送られているか否かが判断される。このとき、インプット情報があれば、空調の対象室を居室である室３から寝室である室５に切り替えるようにする（ステップＳ９）。具体的には、寝室である室５を除く各室３，４等の開口部９，１０，１１を閉塞したり、冷暖房装置８を停止したりする。そして、次のステップＳ１０に進んで睡眠時モードを開始する（後述する）。
【００６９】
ステップＳ７でインプット情報がないと判断されれば、次のステップＳ１１で、現在の運転サイクル（モード）に回数制限が設定されているかどうかを判断する。回数制限が設定されるモードは、上述のＢ´モード、Ｃ´モード、Ｄ´モードであるため、それ以外のモードで運転サイクルが行われている場合は「ＮＯ」の判断が下される。Ｂ´モード、Ｃ´モード、Ｄ´モードのいずれかで運転サイクルが行われている場合は「ＹＥＳ」の判断が下される。システム起動直後の場合は、「ＮＯ」の判断が下される。
「ＮＯ」の判断が下された後は、ステップＳ１２のパターン判別処理へと進み、「ＹＥＳ」の判断が下された後はステップＳ１３に進む。
ステップＳ１２では、検出された室温と外気温と上部温度と、基準温度ｔ１とに基づいて、室内の温度環境に適合するモードを判別する。ここでは、Ａモードと、Ｂ，Ｃ，Ｄモードと、Ｅモードとが判別される。
ステップＳ１２においてＡモードと判別された場合は、Ａモードのパターン運転が開始される（ステップＳ１４）。
ステップＳ１２においてＥモードと判別された場合は、Ｅモードのパターン運転が開始される（ステップＳ１５）。なお、Ｅモードの詳細な流れについては後述する。
ステップＳ１２においてＢ，Ｃ，Ｄモードと判別された場合は、ステップＳ１６で室温と基準温度ｔ１との比較が行われてから次のステップ（ステップＳ１７またはステップＳ２１）へと進む。
なお、ステップＳ１３では、回数制限が設定されたモードが回数制限内であるか否かが判断される。回数制限内である場合はステップＳ１２へと進み、回数制限を超える場合はステップＳ１５のＥモードへと進む。
【００７０】
ステップＳ１６で室温と基準温度ｔ１との比較が行われた結果、室温が基準温度ｔ１よりも低い場合は、改めて、ＢモードとＣモードとＤモードの判別が行われる（ステップＳ１７）。
ステップＳ１７においてＢモードと判別された場合は、Ｂモードのパターン運転が開始される（ステップＳ１８）。また、Ｃモードと判別された場合は、Ｃモードのパターン運転が開始される（ステップＳ１９）。また、Ｄモードと判別された場合は、Ｄモードのパターン運転が開始される（ステップＳ２０）。
各モードのパターン運転が所定時間（２分）行われた後は、ステップＳ３の温度検出処理へと戻り、運転サイクルが一巡する。ただし、次のパターン運転がいずれのモードで行われるか判別されるまで（１分）は、引き続き、一巡する前の運転サイクルのパターン運転が継続される。
【００７１】
ステップＳ１６で室温と基準温度ｔ１との比較が行われた結果、室温が基準温度ｔ１よりも高い場合は、回数制限のあるＢ´モードとＣ´モードとＤ´モードの判別が行われる（ステップＳ２１）。
ステップＳ２１においてＢ´モードと判別された場合は、Ｂ´モードのパターン運転が開始される（ステップＳ２２）。また、Ｃ´モードと判別された場合は、Ｃ´モードのパターン運転が開始される（ステップＳ２３）。また、Ｄ´モードと判別された場合は、Ｄ´モードのパターン運転が開始される（ステップＳ２４）。
各モードのパターン運転が所定時間（２分）行われた後は、ステップＳ３の温度検出処理へと戻り、運転サイクルが一巡する。ただし、次のパターン運転がいずれのモードで行われるか判別されるまで（１分）は、引き続き、一巡する前の運転サイクルのパターン運転が継続される。
そして、次のステップＳ１１で、現在の運転サイクルに回数制限が設定されているかどうかを判断する。このとき、制御部によってＢ´モード運転とＣ´モード運転とＤ´モード運転のカウントが行われているため、「ＹＥＳ」の判断が下される。
次のステップＳ１３では、上述のように、回数制限が設定されたモードが回数制限内であるか否かが判断される。回数制限内である場合はステップＳ１２へと進み、回数制限を超える場合はステップＳ１５のＥモードへと進む。なお、本実施の形態において回数制限は１０回とする。
【００７２】
図１２に示すように、Ｅモードへと移行した後は、前記冷暖房装置８により冷房効果を確実に得るために、Ｅモードによるパターン運転を所定回数行う。なお、本実施の形態においてはＥモード運転が１０回行われるように設定されている（運転サイクル１０回分、すなわち３分×１０回分＝３０分）。
より詳細に説明すると、まず、ステップＳ２５においてＥモードのパターン運転が実行され、ステップＳ２６において当該Ｅモードのパターン運転が所定回数に達したか否かを判断する。所定回数に達していない場合は、繰り返しＥモード運転を行う。所定回数に達した場合は、次のステップＳ２７へと進む。
なお、制御部によってＥモード運転がカウントされている。
【００７３】
ステップＳ２７では、室温検出手段１３と外気温検出手段１４と上部温検出手段１５とによって温度検出処理を行い、室温と外気温と上部温度とを検出する。
続くステップＳ２８では、ステップＳ２７での温度検出結果において、外気温が室温−α℃と等しい又は低いか、外気温が室温−α℃よりも高いかの判断が行われる。
温度検出結果が「外気温が室温−α℃と等しい又は室温−α℃よりも低い」の場合は、ステップＳ２９のＥモード中パターン判別処理へと自動移行する（自動移行処理）。
温度検出結果が「外気温が室温−α℃よりも高い」の場合は、続いて、ステップＳ３０へと進む。
なお、「α℃」は、本実施の形態においては「３℃」とされている。
【００７４】
ステップＳ３０では、ステップＳ２７での温度検出結果が「外気温が基準温度ｔ１と等しい又は基準温度ｔ１よりも低い」場合と、「外気温が基準温度ｔ１よりも高い」場合の判断が行われる。
温度検出結果が「外気温が基準温度ｔ１よりも高い」場合には、外気温が高い状態であるため、ステップＳ２５に戻り、Ｅモードが継続される。
温度検出結果が「外気温が基準温度ｔ１と等しい又は基準温度ｔ１よりも低い」場合には、制御部がアラートを発する。具体的には、リモコンの表示部に対して、「外気温が基準温度ｔ１と等しい又は基準温度ｔ１よりも低い」状態であることを表示したり、ユーザが見ることができる情報端末に対して情報を発信したりする（ステップＳ３１）。
なお、このように温度検出結果に応じて制御部がアラートを発するものとしたが、音声案内を出力できるようにしてもよい。
【００７５】
次のステップＳ３２では、ユーザ（居住者）に対して、他のモードに移行するかしないかを選択させる（選択移行処理）。具体的には、リモコンの表示部や情報端末の表示部に、「他のモードへ移行する」・「他のモードへ移行しない」の選択肢を表示し、ユーザが実際に選択することでシステムへの入力作業が行われる。
「他のモードへ移行する」の選択が行われ、その情報がシステムに入力された場合は、ステップＳ２９のＥモード中パターン判別処理へと移行する（選択移行処理）。
「他のモードへ移行しない」の選択が行われ、その情報がシステムに入力された場合は、次のステップＳ３３へと進む。また、ユーザが無反応で入力作業が行われなかった場合も、次のステップＳ３３へと進む。
【００７６】
ステップＳ３３では、ステップＳ２７での温度検出結果が「外気温が室温と等しい又は室温よりも低い」場合と、「外気温が室温よりも高い」場合の判断が行われる。
温度検出結果が「外気温が室温よりも高い」場合には、外気温が高い状態であるため、ステップＳ２５に戻り、Ｅモードが継続される。
温度検出結果が「外気温が室温と等しい又は室温よりも低い」場合には、制御部がアラートを発する。具体的には、リモコンの表示部に対して、「外気温が室温と等しい又は室温よりも低い」状態であることを表示したり、ユーザが見ることができる情報端末に対して情報を発信したりする（ステップＳ３５）。
なお、リモコンの表示部等に表示される情報は、最新のものに切り換わるように設定されている。例えばステップＳ３１で表示された情報は、このステップＳ３４で新たに情報が表示されることにより、当該新たな情報に刷新される。また、予め設定された、ある程度の時間が経過した後は消去される設定としてもよい。
【００７７】
次のステップＳ３５では、ユーザ（居住者）に対して、他のモードに移行するかしないかを選択させる（選択移行処理）。具体的な内容は、ステップＳ３３と略同様であるが、「他のモードへ移行しない」の選択が行われ、その情報がシステムに入力された場合は、ステップＳ２５に戻り、Ｅモードが継続される。また、ユーザが無反応で入力作業が行われなかった場合もステップＳ２５に戻る。
【００７８】
図１３に示すＥモード中パターン判別処理は、まず、ステップＳ３６で、現在のモードに回数制限が設定されているかどうかを判断する。Ｂ´モード、Ｃ´モード、Ｄ´モード以外のモードで運転サイクルが行われている場合は「ＮＯ」の判断が下される。Ｂ´モード、Ｃ´モード、Ｄ´モードのいずれかで運転サイクルが行われている場合は「ＹＥＳ」の判断が下される。
そして、「ＮＯ」の判断が下された後は、ステップＳ３７のパターン判別処理へと進み、「ＹＥＳ」の判断が下された後はステップＳ３８に進む。
【００７９】
ステップＳ３７では、ステップＳ２７で検出された室温と外気温と上部温度と、基準温度ｔ１とに基づいて、室内の温度環境に適合するモードを判別する。ここでは、Ａモードと、Ｂ，Ｃ，Ｄモードとが判別される。Ｅモードから他のモードへの移行であるため、Ｅモードの判別は行われない。
ステップＳ３７においてＡモードと判別された場合は、Ａモードのパターン運転が開始される（ステップＳ３９）。Ａモード運転終了後は、図１１の夏期プロセスへと戻る。
ステップＳ３７においてＢ，Ｃ，Ｄモードと判別された場合は、ステップＳ４０で室温と基準温度ｔ１との比較が行われてから次のステップ（ステップＳ４１またはステップＳ４５）へと進む。
なお、ステップＳ３８では、回数制限が設定されたモードが回数制限内であるか否かが判断される。回数制限内である場合はステップＳ３７へと進み、回数制限を超える場合はＥモード（ステップＳ１５と同様）へと進む。
【００８０】
ステップＳ４０で室温と基準温度ｔ１との比較が行われた結果、室温が基準温度ｔ１よりも低い場合は、改めて、ＢモードとＣモードとＤモードの判別が行われる（ステップＳ４１）。
ステップＳ４１においてＢモードと判別された場合は、Ｂモードのパターン運転が開始される（ステップＳ４２）。また、Ｃモードと判別された場合は、Ｃモードのパターン運転が開始される（ステップＳ４３）。また、Ｄモードと判別された場合は、Ｄモードのパターン運転が開始される（ステップＳ４４）。
各モードのパターン運転が終了した後は、図１１の夏期プロセスへと戻る。
【００８１】
ステップＳ４０で室温と基準温度ｔ１との比較が行われた結果、室温が基準温度ｔ１よりも高い場合は、回数制限のあるＢ´モードとＣ´モードとＤ´モードの判別が行われる（ステップＳ４５）。
ステップＳ４５においてＢ´モードと判別された場合は、Ｂ´モードのパターン運転が開始される（ステップＳ４６）。また、Ｃ´モードと判別された場合は、Ｃ´モードのパターン運転が開始される（ステップＳ４７）。また、Ｄ´モードと判別された場合は、Ｄ´モードのパターン運転が開始される（ステップＳ４８）。
次のステップＳ４９においては、次のパターン判別（ステップＳ３７）に備えて温度検出処理が行われる。
そして、ステップＳ４９での温度検出処理が終了した後は、ステップＳ３６へと戻り、回数制限のある各モードの運転サイクルが一巡する。また、このステップＳ３６では、上述のように現在の運転サイクル（モード）に回数制限が設定されているかどうかを判断する。このとき、制御部によってＢ´モード運転とＣ´モード運転とＤ´モード運転のカウントが行われているため、「ＹＥＳ」の判断が下される。
次のステップＳ３８では、上述のように、回数制限が設定されたモードが回数制限内であるか否かが判断される。回数制限内である場合はステップＳ３７へと進み、回数制限を超える場合はＥモード（ステップＳ１５と同様）へと進む。なお、回数制限は、上述のように１０回とする。
【００８２】
夏期プロセスでは、以上のように、Ｅモードや回数制限のあるモードにおいて、同一のモードによる運転サイクルが所定回数続いた後に、各モード間でモード移行ができるように設定されている。これによって、低い空調効果のモードから、より高い空調効果を発揮できるモードへと切り換えたり、最適な室内空調環境を形成した後に逆に低い空調効果のモードに切り換えたりすることができる。
【００８３】
以上のようにして夏期プロセスに即して室内空調システムが動作し、室内空調が行われる。
なお、Ｅモード中に前記冷暖房装置８が専用リモコンにより停止された場合は、Ａモードへ移行したと判断される。また、Ｅモード以外のモードで運転中に、専用リモコンで冷暖房装置８が運転を始めた場合は、Ｅモードへ移行したと判断される。なお、制御部は、冷暖房装置８の運転状況情報を温度検出処理のタイミングで取得している。
【００８４】
次に、夏期の不在時パターンについて説明する。
ステップＳ４において、在室状況入力手段１６によって検知された人の在室・不在の情報に基づいて、在室と不在のどちらかの判断が行われた結果、不在と判断された場合は、上述のようにステップＳ６に進み、図１４に示す不在時パターンを開始する。
不在時パターンでは、まずステップＳ５０において、現在の天候が降雨の状態であるか否かが判断される。なお、降雨の判断は、上述のように制御部による天気情報の取得や、降雨（降雪）センサーに基づいて行われる。
ステップＳ５０で降雨の判断が行われ、降雨の状態である場合には、ステップＳ５１のＡモード運転へと移行する。すなわち、ここでは住宅１の全ての開口部９，１０，１１，２１，２２を閉塞する。
ステップＳ５０で降雨の判断が行われ、降雨の状態にない場合には、ステップＳ５２に進む。このステップＳ５２では、外気温と室温の比較、外気温と上部温度の比較が行われる。
【００８５】
ステップＳ５２では、「１：外気温＜室温」と、「２：外気温＜上部温度」と、「３：１，２以外」の判断が行われる。なお、判断の基準となる各温度は、不在時パターン開始直前（ステップＳ３）の外気温と室温と上部温度とが採用される。
選択肢１である外気温が室温よりも低い場合には、ステップＳ５３に移行して、地窓１０とトップライト９が開放される。このとき、欄間１１，２２も開放されることが望ましい。これによって、上述のＣモード運転と同様の効果を得ることができる。
選択肢２である外気温が上部温度よりも低い場合には、ステップＳ５４に移行して、トップライト９が開放される。このとき、欄間１１，２２も開放されることが望ましい。これによって、上下温度差を利用した排熱を行うことができる。
そして、選択肢３である外気温が室温よりも低くなく、外気温が上部温度よりも低くない場合には、ステップＳ４２に移行してＡモード運転を行い、外気温を住宅１内に入れないようにする。
【００８６】
また、ステップＳ５１におけるＡモード運転と、ステップＳ５３，Ｓ５４における開口部９，１０の開放は、予め決められた所定の時間だけ行われるものとする（例えば３０分、１時間等）。所定の時間だけＡモード運転または開口部９，１０の開放が行われた後は、夏期プロセス開始へと戻る。
なお、ステップＳ５３，Ｓ５４における開口部９，１０の開放では、天気情報や降雨センサーの検知結果が優先されることは言うまでもない。すなわち、時間の途中であっても、降雨の状態になれば、一旦夏期プロセス開始へと戻り、不在時パターンが続く場合にはＡモード運転へと切り替わる。
【００８７】
次に、夏期の降雨時パターンについて説明する。
ステップＳ５において、降雨情報入力手段２６による降雨情報が制御部に対して送られているか否かが判断され、降雨情報があった場合には、ステップＳ８に進んで、図１５に示す降雨時パターンを開始する。
降雨時パターンでは、まず、ステップＳ５５においてトップライト９を閉塞することが行われる。続いて、ステップＳ５６において地窓１０を閉塞することが行われる。また、外部に面する開口部であれば、高窓２１やその他の窓を閉塞できるように設定してもよいものとする。
【００８８】
続くステップＳ５７において、居室である室３の室温（室温検出手段１３による）と基準温度ｔ１との比較が行われる。
室３の室温が基準温度ｔ１よりも低い場合には、ステップＳ５８に移行して、居室である室３の夏期のＡモード運転が行われる。すなわち、夏期停止パターンであり、ファン１２は停止され、冷暖房装置８も停止される。
室温と基準温度ｔ１との比較が行われた結果、室３の室温が基準温度ｔ１と等しいか基準温度ｔ１よりも高い場合にはステップＳ５９に移行して、居室である室３の夏期のＥモード運転が行われる。すなわち、夏期の冷暖房パターンであり、ファン１２を停止し、冷暖房装置８を運転させる。なお、ここでは、上述のＥモード運転と同様に運転サイクル１０回分のＥモード運転が行われる。
【００８９】
その後、室３の室温（室温検出手段１３による）と基準温度ｔ１との比較が断続的に行われる。そして、室３の室温が基準温度ｔ１−α℃（α℃は３℃）となったとき（すなわちステップＳ６０であり、室３の室温が下がって快適な居住空間となったとき）に、ステップＳ６１へと移行する。
ステップＳ６１では、居住者に対して、室３の室温が下がったことを知らせる「お知らせ」が発信される。その後、夏期プロセスへと戻るように設定されている。
【００９０】
ステップＳ６０において、室３の室温が基準温度ｔ１−α℃ではなく、室３が快適な状態でないときには、さらに、ステップＳ６２へと移行して、室３の室温が基準温度ｔ１と同等まで下がっているか否かの判断が行われる。
室３の室温が基準温度ｔ１と同等まで下がっていればステップＳ６３へと移行し、制御部がアラートを発する。具体的には、リモコンの表示部に対して、「室温が基準温度ｔ１と同等」状態であることを表示したり、ユーザが見ることができる情報端末に対して情報を発信したりする。
また、室３の室温が基準温度ｔ１と同等まで下がっていなければ、ステップＳ６５に移行して、Ｅモード運転が継続される。
【００９１】
次のステップＳ６４では、ユーザ（居住者）に対して、他のモードに移行するかしないかを選択させる（選択移行処理）。「他のモードへ移行しない」の選択が行われ、その情報がシステムに入力された場合は、ステップＳ６５に移行して、Ｅモード運転が継続される。また、ユーザが無反応で入力作業が行われなかった場合ステップＳ６５に移行する。
他のモードに移行する場合は、夏期プロセスへと戻る設定となっている。
【００９２】
ステップＳ６５においてＥモード運転が、運転サイクル１０回分継続された後、ステップＳ６６において温度検出処理がなされる。続いて、室３の室温と基準温度ｔ１との比較が行われる（ステップＳ６７）。
そして、室３の室温が基準温度ｔ１−α℃となったときに、再度、制御部がアラートを発信する（ステップＳ６８）。次のステップＳ６９では、ユーザ（居住者）に対して、他のモードに移行するかしないかを選択させる（選択移行処理）。「他のモードへ移行しない」の選択が行われ、その情報がシステムに入力された場合は、ステップＳ７０に移行して、Ｅモード運転が継続される。また、ユーザが無反応で入力作業が行われなかった場合ステップＳ７０に移行する。
他のモードに移行する場合は、夏期プロセスへと戻る設定となっている。
また、ステップＳ６７において室３の室温が基準温度ｔ１−α℃となっていなければ、ステップＳ７０に移行してＥモード運転が継続され、その後（運転サイクル１０回分後）、ステップＳ６６に移行して、再度、温度検出処理Ｅモード運転が継続される。
夏期プロセスに戻った結果、再度、当該降雨時パターンが開始される場合は、トップライト９および地窓１０（および高窓２１）等の外部に面する開口部は閉塞された状態が維持されているものとする。
以上のようにして、外部に面する開口部９，１０（，２１）を閉塞した状態で、室内の空調制御が行われる。
【００９３】
次に、夏期の睡眠時モードについて説明する。
ステップＳ７において、インプット情報入力手段２４によるインプット情報が制御部に対して送られているか否かが判断され、インプット情報があった場合には、上述のようにステップＳ９において空調の対象室の切り替えを行い、さらにステップＳ１０に進んで、図１６に示す不在時パターンを開始する。
睡眠時モードでは、まずステップＳ７１において、寝室である室５の室温（室温検出手段２３による）と基準温度ｔ１との比較が行われる。
室温と基準温度ｔ１との比較が行われた結果、室５の室温が基準温度ｔ１と等しいか基準温度ｔ１よりも高い場合にはステップＳ７２へと進む。
室５の室温が基準温度ｔ１よりも低い場合には、ステップＳ７３に移行して、寝室である室５の夏期のＡ１モード運転が行われる。すなわち、睡眠時モードの夏期停止パターンであり、開口部２１，２２は閉塞され、ファン１２は停止され、冷暖房装置２０も停止される。
【００９４】
ステップＳ７２においては、室５の室温と外気温との比較が行われる。
室温と外気温との比較が行われた結果、室５の室温が外気温と等しいか外気温よりも高い場合には、ステップＳ７４に移行して、寝室である室５の夏期のＤ１モード運転が行われる。すなわち、睡眠時モードの排熱補助パターンであり、開口部２１，２２が開放され、ファン１２が上向き運転され、冷暖房装置２０が停止される。
【００９５】
ステップＳ７２において室温と外気温との比較が行われた結果、室５の室温が外気温よりも低い場合には、ステップＳ７５に移行して、寝室である室５の夏期のＥ１モード運転が行われる。すなわち、睡眠時モードの冷暖房パターンであり、開口部２１，２２が閉塞され、ファン１２が停止され、冷暖房装置２０が送風運転される。
【００９６】
また、ステップＳ７３，Ｓ７４，Ｓ７５における各モード運転は、予め決められた所定の時間だけ行われるものとする（例えば３０分、１時間、２時間等）。特に、夜間であるため、頻繁なモード切り替えは騒音の原因となるので、これを考慮した時間設定が行われるものとする。
そして、所定の時間だけ各モード運転が行われた後は、夏期プロセス開始へと戻る。夏期プロセス開始へと戻った後、ステップＳ７においてインプット情報の有無が判断され、インプット情報がある場合には、ステップＳ９における空調対象室の切り替えは、居室である室３から寝室である室５に切り替わった状態を維持したままとし、実質的に行われないものとする。
なお、ステップＳ７４におけるＤ１モード運転では、天気情報や降雨センサーの検知結果が優先される。すなわち、所定の時間の途中であっても、降雨の状態になれば、一旦夏期プロセス開始へと戻り、睡眠時モードが続く場合には、Ａ１モード運転もしくはＥ１モード運転へと切り替わる。
【００９７】
次に、冬期プロセスについて説明する（図１０，図１７）。
上述のようにステップＳ２で冬期と判断されると、冬期プロセスが開始される。冬期プロセス開始後、まず、ステップＳ７６において、室温検出手段１３と外気温検出手段１４と上部温検出手段１５とによって温度検出処理を行い、室温と外気温と上部温度とを検出する。
【００９８】
次のステップＳ７７では、前記在室状況入力手段１６（例えば人感センサー）によって検知された人の在室・不在の情報に基づいて、在室と不在のどちらかの判断が行われる。在室の場合はステップＳ７８へと進み、不在の場合はステップＳ８４へと進む。
【００９９】
在室時のステップＳ７８では室温と基準温度ｔ２との比較が行われる。
ステップＳ７８で室温と基準温度ｔ２との比較が行われた結果、室温が基準温度ｔ２よりも高い場合（室内が比較的暖かい場合）はステップＳ７９へと進み、ＡモードとＢモードの判別が行われる。
ステップＳ７９においてＡモードと判別された場合は、Ａモードのパターン運転が開始される（ステップＳ８０）。また、Ｂモードと判別された場合は、Ｂモードのパターン運転が開始される（ステップＳ８１）。
各モードのパターン運転が終了した後は、ステップＳ７６へと戻り、運転サイクルが一巡する。ただし、次のパターン運転がいずれのモードで行われるか判別されるまで（１分）は、引き続き、一巡する前の運転サイクルのパターン運転が継続される。
【０１００】
ステップＳ７８で室温と基準温度ｔ２との比較が行われた結果、室温が基準温度ｔ２よりも低い場合（室内が寒い場合）はステップＳ８２へと進み、Ｅモードのパターン運転が開始される。
上述のように運転サイクルは１サイクル３分と設定されているが、室内が寒い場合は、３分では改善されない場合がある。このため、Ｅモードによるパターン運転は、所定回数継続して行われる設定となっている。なお、本実施の形態においてはＥモード運転が１０回行われるように設定されている（運転サイクル１０回分、すなわち３分×１０回分＝３０分）。
より詳細に説明すると、まず、ステップＳ８２においてＥモードのパターン運転が実行され、ステップＳ８３において当該Ｅモードのパターン運転が所定回数に達したか否かを判断する。所定回数に達していない場合は、繰り返しＥモード運転を行う。所定回数に達した場合は、ステップＳ７６へと戻る。ただし、次のパターン運転がいずれのモードで行われるか判別されるまで（１分）は、引き続き、Ｅモードのパターン運転が継続される。
なお、制御部によってＥモード運転がカウントされている。
【０１０１】
冬期プロセスでは、以上のようにＥモードが所定回数続いた後に、他のモードへ移行ができるように設定されている。これによって、Ｅモードによるパターン運転で最適な室内空調環境を形成した後に、逆に低い空調効果のＡモードやＢモードに切り換えたりすることができる。
【０１０２】
不在時のステップＳ８４では、検出された室温と外気温と上部温度と、基準温度ｔ２（２２℃）とに基づいて、室内の温度環境に適合するモードを判別する。不在時はＥモードによるパターン運転が行われない設定となっているので、ここでは、Ａモードと、Ｂモードとが判別される。
ステップＳ８４においてＡモードと判別された場合は、Ａモードのパターン運転が開始される（ステップＳ８５）。
ステップＳ８４においてＢモードと判別された場合は、Ｂモードのパターン運転が開始される（ステップＳ８６）。
【０１０３】
各モードのパターン運転が所定時間（２分）行われた後は、ステップＳ７６の温度検出処理へと戻り、運転サイクルが一巡する。ただし、次のパターン運転がいずれのモードで行われるか判別されるまで（１分）は、引き続き、一巡する前の運転サイクルのパターン運転が継続される。
【０１０４】
以上のようにして冬期プロセスに即して室内空調システムが動作し、室内空調が行われる。
また、室内空調システムを停止させる場合は、前記リモコンによってシステムＯＦＦの操作を行うことによって停止させることができる。停止時には、各開口部９，１０，１１は閉塞状態となり、ファン１２および冷暖房装置８も停止状態となる。
【０１０５】
なお、冬期における睡眠時モード（冬期のＥ１モード）は、インプット情報が確認されて、居室である室３から寝室である室５に空調の対象室が切り替えられた後に、室５の室温が基準温度ｔ２よりも低い状態のときに、開口部２１，２２を閉塞し、ファン１２を停止し、冷暖房装置２０を暖房運転するように設定されている。
【０１０６】
本実施の形態によれば、前記制御部は、ステップＳ３，Ｓ７６等の温度検出処理と、ステップＳ１２，Ｓ７９等のパターン判別処理と、ステップＳ１４，Ｓ１５，Ｓ８０，Ｓ８１等のパターン運転処理と、を繰り返し行う運転サイクルを制御するので、実際の室温と外気温と予め設定された基準温度ｔ１，ｔ２とに基づいて判別された複数のモード（夏期のＡ〜Ｅモード・冬期のＡ，Ｂ，Ｅモード）のうちの一つのモードによって、前記開口部９，１０，１１と前記ファン１２と前記冷暖房装置８とを適宜起動させて室内空調を行うことができ、実際の室温と外気温と予め設定された基準温度ｔ１，ｔ２とに対応する最適な室内空調環境を形成できる。
さらに、前記複数のモードのうち同一のモードによる前記運転サイクルが所定回数続くということは、例えば、夏期であれば暑さを維持したままの状態が続き、冬期であれば寒さを維持したままの状態が続いて室内空調環境が改善されず、居住者の実際の体感と乖離した状態が続く場合があることを意味する。そこで、前記制御部が、前記Ｅモードと前記複数の他のモードとを含む各モード間でモードを切り換える制御を行うことによって、より高い空調効果を発揮できるモードへと切り換えたり、最適な室内空調環境の形成後に逆に低い空調効果のモードに切り換えたりすることができる。これによって、室内空調環境が改善されない状態を確実にクリアでき、居住者の実際の体感により近い実質的な空調効果を得ることができるとともに、例えば前記冷暖房装置８の過剰な運転による運転コストの無駄を省くことが可能となる。
【０１０７】
また、前記制御部が、室温と外気温と基準温度ｔ１，ｔ２と上部温度とに基づいて、前記開口部９，１０，１１と前記ファン１２と前記冷暖房装置８とを細かく制御できるので、夏期であっても、また冬期であっても、より最適な室内空調環境を形成できる。
【０１０８】
また、外気温が室温−α℃と同一か、室温−α℃よりも低いとき（室３，４，５内よりも屋外が涼しい状態のとき）に、前記制御部が、前記Ｅモードから前記複数の他のモードへと自動的に切り換えるので、前記冷暖房装置８を停止して当該冷暖房装置８の運転コストを低減しつつ、前記開口部９，１０，１１や前記ファン１２による換気によって室内空調環境を改善することができる。
また、外気温が室温−α℃よりも高いとき（室温−α℃の室３，４，５内よりも屋外が暑いとき）に、前記制御部が、前記Ｅモードの継続又は前記複数の他のモードへの切り換えを、居住者によって選択可能とする処理を行うので、室温と外気温とをより考慮し、かつ居住者の希望に即した室内空調環境の形成に貢献できる。
【０１０９】
また、室温が基準温度ｔ１よりも高く（暑く）、前記Ｂモードと前記Ｃモードと前記Ｄモードのうちいずれかのモードによって室内空調環境の改善が図れない状態のときに、当該各モードのいずれかのモードから前記Ｅモードに切り換えることができる。また、回数制限が設定されるので、当該回数を超えて当該各モード（Ｂ´モード、Ｃ´モード、Ｄ´モード）が継続されることがなくなり、室内空調環境が改善されない状態をより確実にクリアできる。
【０１１０】
また、前記制御部は、前記在室状況入力手段１６による人の在室状況と、前記冬期における複数のモードとを組み合わせて制御し、人の在室時のみ、前記Ｅモードによる室内空調を行うので、人の不在時において前記冷暖房装置８を停止させることができる。これによって、当該冷暖房装置８の運転コストを低減しつつ、前記開口部９，１０，１１や前記ファン１２によって室内空調環境を改善することができる。
なお、本実施の形態においては冬期にのみ前記在室状況入力手段１６による人の在室状況の判断を行うものとしたが、夏期においても同様の構成を以て人の在室状況の判断を行うようにしてもよい。すなわち、人の在室時のみ、前記夏期のＥモードによる室内空調を行い、人の不在時においては前記冷暖房装置８を停止させる。また、人の不在時においては夏期の場合も冬期の場合も、Ｅモード以外の他のモードへ置き換わるように設定されていてもよい。
【０１１１】
また、前記制御部によって、前記トップライト９と、前記地窓１０と、前記欄間１１と、前記シーリングファン１２とを制御できるので、これら開口部９，１０，１１の開閉やファン１２の運転・停止を適宜行って、室内空調環境の改善を図ることができる。
【０１１２】
さらに、前記制御部は、インプット情報入力手段２４によって入力されるインプット情報に基づいて空調の対象室を居室である室３と寝室である室５との間で切り替える制御を行うので、室５における人の睡眠に係り、かつ空調の対象室を切り替える必要が生じた場合に、室３と室５との間で空調の対象室を適宜切り替えることができる。
また、制御部は、空調の対象室となる室３と室５のそれぞれで、前記開口部９，１０，１１，２１，２２または／および前記ファン１２と前記冷暖房装置８，２０の運転又は状態を、複数のパターンに組み合わせて制御するので、室３と室５のそれぞれで、例えば、高い空調効果を発揮できるパターンで空調を行ったり、最適な室内空調環境の形成後に逆に低い空調効果のパターンに切り換えたりすることができる。これによって、空調の対象室が室３とされた場合であっても、空調の対象室が室５とされた場合であっても快適な室内空調環境を形成できる。
【０１１３】
また、前記制御部が、室温と外気温と基準温度ｔ１とに基づいて、前記開口部９，２１，２２と前記ファン１２と前記冷暖房装置２０とを細かく制御できるので、夏期であっても、また冬期であっても、より快適な室内空調環境を形成できる。
【０１１４】
また、インプット情報は、室５において人の就寝を検知するセンサー（インプット情報入力手段２４）による検知結果を含むので、前記制御部は、インプット情報である検知結果を受けて、室３と室５の切り替えを確実に行うことができる。
【０１１５】
また、インプット情報は、時間帯または／および人の在宅状況または／および住宅１内の照明の消費電力量を含むので、前記制御部は、各種の情報に基づいて、室３と室５の切り替えをより詳細な条件で行うことができる。
【０１１６】
また、室５は、住宅１の上階に配設されているので、例えば住宅１の上下の温度差を利用した排熱をするパターンでの空調が難しくなる反面、余計なパターンでの空調制御を行う必要がなくなる。すなわち、室５は、人が睡眠をとる場所であるため、空調のための各種機器の作動音や稼働音が小さい方が望ましい。余計なパターンでの空調制御を行う必要がなくなるために、各種機器の余計な作動音や稼働音を少なくすることができるので、室５において快適な睡眠環境を形成することが可能となる。
【０１１７】
また、制御部は、降雨情報入力手段２６によって入力される降雨情報に基づいて外部に面する開口部９，１０（，２１）の開閉を制御できるので、降雨時には、外部に面する開口部９，１０（，２１）を確実に閉塞することができる。
そして、制御部が、室３の室温と基準温度ｔ１とに基づいて、外部に面する開口部９，１０（，２１）とファン１２と冷暖房装置８とを細かく制御できるので、夏期の降雨時において、より快適な室内空調環境を形成できる。
【符号の説明】
【０１１８】
１  住宅
２  屋根
３  室（居室）
４  室
５  室（寝室）
６  上部（小屋裏）
７  吹き抜け空間
８  冷暖房装置
９  トップライト
１０  地窓
１１  欄間
１２  シーリングファン
１３  室温検出手段
１４  外気温検出手段
１５  上部温検出手段
１６  在室状況入力手段
２０  冷暖房装置
２１  高窓
２２  欄間
２３  室温検出手段
２４  インプット情報入力手段
２５  寝具
２６  降雨情報入力手段
【図１】
2018028432.tif 000003
【図２】
2018028432.tif 000004
【図３】
2018028432.tif 000005
【図４】
2018028432.tif 000006
【図５】
2018028432.tif 000007
【図６】
2018028432.tif 000008
【図７】
2018028432.tif 000009
【図８】
2018028432.tif 000010
【図９】
2018028432.tif 000011
【図１０】
2018028432.tif 000012
【図１１】
2018028432.tif 000013
【図１２】
2018028432.tif 000014
【図１３】
2018028432.tif 000015
【図１４】
2018028432.tif 000016
【図１５】
2018028432.tif 000017
【図１６】
2018028432.tif 000018
【図１７】
2018028432.tif 000019